(57)【要約】【目的】  楽音制御の各種パラメータの設定変更を可能にしながら、操作パネル部の上面をフラットでスッキリしたものにし、ケースの上部を兼ねることができ、テーブルとしても使用できるようにする。【構成】  電子鍵盤楽器の操作パネル部３を、上面がフラットな平面でその上面が鍵盤部１の白鍵１０Ｗの上面と平行に配設された無透孔のパネル材３０と、その下面３０ｂに固着された複数の非接触式タッチスイッチ３５と、そのタッチスイッチ３５に近接して配設され、それがセンスされた状態を表示する光表示器４０とによって構成する。そして、パネル材３０の少なくともタッチスイッチ３５を示す部位及び光表示器４０によって照光される部位は透光性を有し、タッチスイッチ３５は、指等の人体の一部が接近することによって作動し、その信号によって楽音の制御パラメータを設定変更する。【選択図】        図１
2006267791.tif 000002
【特許請求の範囲】
【請求項１】
複数の白鍵と黒鍵とを列設した鍵盤部と、複数のスイッチを有する操作パネル部とを上部に備えた電子鍵盤楽器において、
前記操作パネル部は、
前記鍵盤部の奥に該鍵盤部の幅より大きい幅を有し、上面がフラットな平面で該上面が前記鍵盤部の白鍵の上面と平行に配設された無透孔のパネル材と、
該パネル材の下面に固着された複数の非接触式タッチスイッチと、
該タッチスイッチに近接して配設され、該タッチスイッチがセンスされた状態を表示する光表示器とを備え、
前記パネル材の少なくとも前記タッチスイッチを示す部位及び前記光表示器によって照光される部位は透光性を有し、
前記タッチスイッチは、前記鍵盤部の演奏操作によって発生される楽音の制御に関するパラメータを設定変更するためのものであり、前記パネル材の上面側から前記タッチスイッチに指等の人体の一部が接近することによって、前記パラメータを設定変更するようにしたことを特徴とする電子鍵盤楽器。
【請求項２】
前記操作パネル部の前記パネル材は、前記下面側から上面側に向けて照光された部位は光透過しやすく、それ以外の部位は光透過しにくい透明体で全体が構成されていることを特徴とする請求項１記載の電子鍵盤楽器。
【請求項３】
前記タッチスイッチを光表示器で囲み、前記パネル材の前記タッチスイッチを示す部位を該光表示器によって照光される部位としたことを特徴とする請求項１又は２記載の電子鍵盤楽器。
【請求項４】
前記タッチスイッチを照光型のタッチスイッチにし、前記パネル材の前記タッチスイッチを示す部位を該照光型のタッチスイッチによって照光される部位としたことを特徴とする請求項１又は２記載の電子鍵盤楽器。
【請求項５】
前記パネル材の下面には、前記タッチスイッチを示す部位および前記各光表示器と対向する部位以外の領域に遮光性の被膜を形成したことを特徴とする請求項１乃至４のいずれか一項に記載の電子鍵盤楽器。
【請求項６】
前記パネル材の上面の前記鍵盤部に隣接する前端縁部に、鍵並び方向の全長に亘って上方に突出した堤防部を設けたことを特徴とする請求項１乃至５のいずれか一項に記載の電子鍵盤楽器。
【請求項７】
前記鍵盤部を、前記操作パネル部側から液体が流入した場合に、該液体をキースイッチ部に到達させずに外部へ排出させる防水構造にしたことを特徴とする請求項１乃至６のいずれか一項に記載の電子鍵盤楽器。
【発明の詳細な説明】
【技術分野】
【０００１】
この発明は、電子オルガンや電子ピアノのように鍵盤を操作して演奏する電子楽器である電子鍵盤楽器に関する。
【背景技術】
【０００２】
電子オルガンや電子ピアノ等の電子鍵盤楽器は一般に、ケースあるいは外装筐体の上部手前側に複数の白鍵と黒鍵とを列設した鍵盤部を、その後方に操作パネル部を備えている。その操作パネル部は、例えば特許文献１に見られるように、後方が高く鍵盤部に隣接する手前側が低くなるように傾斜して配設されているものが多い。そして、そのパネル材には多数の透孔が形成されており、そこに各種の操作釦（スイッチや操作子のトップ）や表示部材等が嵌合して設けられ、それらがパネル上面から若干突出している。また、操作パネル部がケースの上部を兼ね、殆ど水平に配設されているものもあるが、やはりそのパネル材には複数の透孔が形成され、そこに操作釦や表示部材が設けられている。
【特許文献１】特開２００３−２６３１６７
【０００３】
この操作釦によって操作されるスイッチや操作子は、鍵盤部の演奏操作によって発生される楽音の制御に関する各種パラメータ（音量、音高、音色、各種の効果のかけ方など）を設定変更するためのものである。
また、スイッチの一種として、透孔に嵌入する操作釦が不要な非接触式のタッチスイッチも存在する。しかし、それは電子鍵盤楽器の操作パネル部に設けられるスイッチとしては殆ど使用されていない。
【発明の開示】
【発明が解決しようとする課題】
【０００４】
そのため、従来の電子鍵盤楽器は、自然楽器のグランドピアノやチェンバロのように、演奏状態におけるケース上面がフラットでスッキリしたものにはならず、グラスなどを置くデーブルとして使用するようなことは到底できなかった。
この発明は、このような背景に鑑みてなされたものであり、電子鍵盤楽器の楽音制御に関する各種パラメータの設定変更を可能にしながら、操作パネル部の上面をフラットでスッキリしたものにし、ケースの上部を兼ねることができ、テーブルとしても使用できるようにすることを目的とする。
【課題を解決するための手段】
【０００５】
この発明による電子鍵盤楽器は、複数の白鍵と黒鍵とを列設した鍵盤部と、複数のスイッチを有する操作パネル部とを上部に備えた電子鍵盤楽器において、上記の目的を達成するため、上記操作パネル部は、上記鍵盤部の奥に該鍵盤部の幅より大きい幅を有し、上面がフラットな平面で該上面が上記鍵盤部の白鍵の上面と平行に配設された無透孔のパネル材と、そのパネル材の下面に固着された複数の非接触式タッチスイッチと、そのタッチスイッチに近接して配設され、該タッチスイッチがセンスされた状態を表示する光表示器とを備えている。
そして、上記パネル材の少なくとも上記タッチスイッチを示す部位及び上記光表示器によって照光される部位は透光性を有し、上記タッチスイッチは、上記鍵盤部の演奏操作によって発生される楽音の制御に関するパラメータを設定変更するためのものであり、上記パネル材の上面側から上記タッチスイッチに指等の人体の一部が接近することによって、上記パラメータを設定変更するようにしたものである。
【０００６】
上記操作パネル部のパネル材は、上記下面側から上面側に向けて照光された部位は光透過しやすく、それ以外の部位は光透過しにくい透明体で全体を構成してもよい。
また、上記タッチスイッチを光表示器で囲み、上記パネル材の上記タッチスイッチを示す部位を該光表示器によって照光される部位とすることができる。
あるいは、上記タッチスイッチを照光型のタッチスイッチにし、上記パネル材の上記タッチスイッチを示す部位を該照光型のタッチスイッチによって照光される部位としてもよい。
【０００７】
上記パネル材の下面には、上記タッチスイッチを示す部位および上記各光表示器と対向する部位以外の領域に遮光性の被膜を形成するとよい。
また、上記パネル材の上面の上記鍵盤部に隣接する前端縁部に、鍵並び方向の全長に亘って上方に突出した堤防部を設けるのが望ましい。
さらに、上記鍵盤部を、上記操作パネル部側から液体が流入した場合に、その液体をキースイッチ部に到達させずに外部へ排出させる防水構造にするとなおよい。
【発明の効果】
【０００８】
この発明による電子鍵盤楽器は、操作パネル部のパネル部材が無透孔でその上面がフラットな平面であるから、スイッチ等の操作釦や表示部材による凹凸がなく、これをケース上部に兼ねることによりスッキリしたフラットな外観を得ることができる。さらに、そのパネル材の上面は白鍵の上面に平行に配設されているので、楽器載置面にも平行な水平配置となるため、飲み物が入ったグラスなどを置くテーブルとして使用することも可能である。しかも、そのパネル材の上面側から、下面に固着された非接触式タッチスイッチに指等を近づけることによって、該タッチスイッチを動作させて楽音制御のパラメータを設定変更することができ、そのタッチスイッチの動作を光表示器の照光によって確認することもできる。
【０００９】
上記パネル材の下面に上記遮光性の被膜を形成すれば、パネル材全体を透明体で構成しても、その上面側からは内部が殆ど見えないので、一層見栄えがよくなる。
上記パネル材の上面の上記鍵盤部に隣接する前端縁部に上記堤防部を設ければ、このパネル材上に置いたグラス等の飲み物をこぼした場合にも、それが鍵盤部に流入するのを防止することができる。
さらに、上記鍵盤部を上記防水構造にすれば、万一上記操作パネル部から飲み物などが鍵盤部に流入しても、演奏不能にならないようにすることができる。
【発明を実施するための最良の形態】
【００１０】
以下、この発明を実施するための最良の形態を図面に基づいて具体的に説明する。
図２はこの発明による電子鍵盤楽器の一実施例の全体の外観を示す斜視図である。
この電子鍵盤楽器は、多数の白鍵１０Ｗと黒鍵１０Ｂからなる鍵１０を列設した鍵盤部１と、上ケースを兼ねた操作パネル部３と、図１では見えない下ケースとを上部に備え、下部に左右一対の脚９を備えている。
【００１１】
操作パネル部３は、その上面がフラットな平面で透孔が無く、鍵盤部１の白鍵１０Ｗの上面と平行になっているためこの楽器の載置面にも平行であり、通常は水平状態になる。この操作パネル部３内には後述するように、多数の非接触式タッチスイッチを設けているが、上面には何も露出しておらず、操作釦や表示器も突出していないので、全面がフラットで、シンプルでスッキリした外観を呈し、小型のグランドピアノのような雰囲気をもっている。
【００１２】
上ケースを兼ねた操作パネル部３は、鍵盤部１の鍵１０の配列方向の全幅と同等かそれ以上の幅と、鍵１０の長さ以上の奥行きを有しているため、テーブルとして使用できる広さを有しており、この電子鍵盤楽器の使用状態で上述のようにその上面が略水平になるので、飲み物が入ったグラスなどを置くことができる。
【００１３】
以下に、この鍵盤電子楽器の操作パネル部３の構成について、図１及び図３〜図９によって詳細に説明する。
図１は図２のＡ−Ａ線に沿う拡大断面図であり、鍵盤部１と操作パネル部３の内部構造の概略を示している。
この鍵盤電子楽器の楽器本体は、上ケースを兼ねた操作パネル部３と、鍵配列方向に長い皿状の下ケース７とが嵌合して筐体を形成している。そして、その操作パネル部３は、図２からも判るように鍵並び方向の両端部分を除いて手前側（図１では左側）の上面を開放しており、そこに鍵盤部１が白鍵１０Ｗと黒鍵１０Ｂからなる鍵１０を露出させて、下ケース７に取り付けられている。
【００１４】
その操作パネル部３の上ケースを兼ねるパネル材３０は、透明なアクリル板からなり、裏面の所要箇所に形成された下ケース７との結合用のボス３１，３２を、下ケース７の内面に形成されたボス７１，７２と当接させて、次のようにねじ止めされる。
すなわち、金属板あるいは不透明な樹脂で形成された下ケース７のボス７１，７２側から止めねじ１４，１５を挿入して、パネル材３０のボス３１，３２にねじ込んで、操作パネル部３のパネル材３０と下ケース７とを結合して筐体を形成している。
また、この操作パネル部３の低音域側は奥行きが深く、高音域側になるに従って奥行きが浅くなっており、鍵盤部１と反対側の端面（図１では右端面）は緩やかな曲面をなしている。
【００１５】
下ケース７のボス７２の手前側には、板金製の鍵支持部材である鍵盤フレーム１２が設けられ、その後端部をボス７２とボス３２の間に挟みこんで、止めねじ１５によって共締めして、下ケース７の底面から背の高いボス７２の高さだけ離れた高い位置に固着している。その鍵盤フレーム１２の前部１２ａは下ケース７の内面に当接しており、その前端部は、下ケース７の内面に設けられた背の低いボス７３に止めねじ１６によって固着されている。
【００１６】
この鍵盤フレーム１２の後部１２ｂの上面に、複数の白鍵１０Ｗ及び黒鍵１０Ｂのユニット毎の各鍵基端部（共通連結部）１１を重ねて載置し、止めねじ１７によって一体に固着している。そして、各鍵１０は薄肉のヒンジ部１０ｈによってこの鍵基端部に連結しており、押離鍵方向（上下方向）に揺動可能に支持されている。
鍵盤フレーム１２の中間部１２ｃ上には各鍵に対応する位置におわん型キースイッチ２０を列設したキースイッチ基板２１が固定されている。そのおわん型キースイッチ２０は、おわん型（又はドーム型）のゴム材の内部に可動接点が形成されており、鍵１０が押鍵されたときに弾性変形して、その可動接点がキースイッチ基板２１上にプリント形成された対の固定接点を短絡させることによってキーオン信号を発生する。
【００１７】
このおわん型キースイッチ２０は、常時鍵１０の下面に当接して鍵１０を押し上げる方向に付勢する作用も果たし、各鍵１０はその下部に設けたストッパ片１０ｓが、鍵板フレーム１２の中間部１２ｃから延設して、前端部にフエルト等の緩衝材１３ａを被覆した上限、下限兼用の上下限ストッパ１３に当接して、非押鍵状態における上限位置が規制されている。白鍵１０Ｗの上面は、この非押鍵状態で楽器載置面と平行になるように調整される。各鍵１０の押鍵時の下限位置も、ストッパ片１０ｓの上部が上下限ストッパ１３に当接することによって規制される。
【００１８】
一方、操作パネル部３のパネル材３０は透孔が全くない無透孔の透明なパネルであり、上面３０ａがフラットな平面で、鍵盤部１の非押鍵状態における白鍵１０Ｗの上面と平行になるように配設されている。
そして、このパネル材３０の下面３０ｂには複数の非接触式タッチスイッチ（単に「タッチスイッチ」とも云う）３５が固着され、その各タッチスイッチ３５に近接して、そのタッチスイッチ３５がセンスされた状態を表示する光表示器である赤色ＬＥＤ（発光ダイオード）４０を配設している。
【００１９】
その各赤色ＬＥＤ４０は、回路基板４１にスペーサ４２を介して搭載されており、その回路基板４１は、パネル材３０の下面３０ｂに突設された基板取付部３３に止めねじ３４によって取り付けられている。この回路基板４１上には、キースイッチ２０によって発生されるキーオン信号と、各タッチスイッチ３５のセンス信号とに応じて楽音信号を発生するための回路部品群４３（図では簡略化して一つのブロックで示しているが、多数の部品から構成されている）も搭載されている。
【００２０】
パネル材３０の少なくともタッチスイッチ３５を示す部位及び光表示器４０によって照光される部位は透光性を有する必要があるが、他の領域は下面３０ｂに遮光性の被膜を形成したり、パネル材３０自体を不透明材にしてもよい。
非接触式タッチスイッチ３５は、鍵盤部１の演奏操作によって発生される楽音の制御に関するパラメータを設定変更するためのものであり、パネル材３０の上面３０ａ側からタッチスイッチ３５に指等の人体の一部が接近することによって、そのタッチスイッチが作動して、上記パラメータを設定変更することができる。
【００２１】
また、このパネル材３０の上面３０ａの鍵盤部１に隣接する前端縁部に、鍵１０の並び方向の全長に亘って上方に突出した堤防部３０ｃを設けている。これは、パネル材３０の上面３０ａに飲み物が入ったグラスなどを置いて使用した場合に、その飲み物などの液体がこぼれても、それが鍵盤部１へ流れ込まないように堰き止める役目を果たす。
【００２２】
さらに、鍵盤部１には、鍵盤フレーム１２の中間部１２ｃに鍵１０の配列方向に間隔を置いて複数の切り起こし片１２ｄを設け、鍵盤フレーム１２の後部１２ｂと鍵基端部１１との間に防水シート２３の後部を挟み込んで共締めし、その防水シート２３を鍵盤フレーム１２の前方下がりに傾斜する上面に沿わせて鍵配列方向の全域に亘って延設し、その前端部を切り起こし片に沿って立ち上げている。そして、この防水シート２３の両側端部を下ケース７に設けた図示していない排水口に連通させている。
【００２３】
これによって、鍵盤部１は防水構造になり、万一、操作パネル部３のパネル材３０の堤防部３０ｃを越えて鍵盤部１に液体が流入した場合でも、その液体をキースイッチ２０やキースイッチ基板２１に到達させずに防水シート２３上に留め、排水口から外部へ排出させることができる。そのため、演奏不能になるようなことを回避することができる。
なお、シート２３に流入した液体が鍵盤部１の鍵並び方向の両側又は片側に流れるように、シート２３又は鍵盤フレーム１２をわずかに傾斜させて構成しておけば、流入した液体は両側又は片側へ流れた後、図示していない孔（排水口）から楽器外に排出されやすくなる。
【００２４】
次に、操作パネル部の細部構成、特に非接触式タッチスイッチ３５およびその位置を示す光表示器と、タッチスイッチ３５がセンスされた状態を表示する光表示器について説明する。
図３は、操作パネル部３のパネル材３０の一部を上面側から見た図であり、手前側が鍵盤部１である。この実施例におけるパネル材３０の上面のこの部分では、径が異なる二重のリング状表示パターン４５ａ，４５ｂとそのセンタ表示パターン４６、及び左右方に延びる２本のライン表示パターン４７ａ，４７ｂがそれぞれ、後述する青色ＬＥＤの発光により青く照光してしている。
【００２５】
そして、二重のリング状表示パターン４５ａ，４５ｂは、その間の環状領域４５ｃ内に、図１に示した非接触式タッチスイッチ３５が多数環状に配列されて設けられていることを表示している。センタ表示パターン４６はその中心位置を示している。このセンタ表示パターンに、このスイッチ群が制御する機能名を表示させるようにしてもよい。その場合も、勿論下側からＬＥＤの発光により照光される構成にする。ライン表示パターン４７ａは、その中の３箇所の円形領域４７ｃ，４７ｄ，４７ｅにそれぞれ非接触式タッチスイッチが配置されていることを表示しており、ライン表示パターン４７ｂは、その太くなっている部分で、タッチスイッチの位置を示している。
【００２６】
さらに、環状領域４５ｃの１個のタッチスイッチに対応する位置のセンスポイント表示４８が、図１に示した赤色ＬＥＤ４０の１個の点灯により赤く照光し、円形領域４７ｃに対応する位置のセンスポイント表示４９も後述する赤色ＬＥＤの点灯により赤く照光している。これらのセンスポイント表示４８，４９は、対応する位置のタッチスイッチがセンスされた状態であることを表示している。
パネル材３０のこれらの照光部以外の領域には、後述する黒シルク印刷による遮光性の被膜が形成されているため、全て黒く見える。そのため、タッチスイッチ位置の表示パターンとセンスポイント表示が鮮明に見える。
【００２７】
図４は、図３におけるリング状表示パターン４５ａ，４５ｂがある部分をパネル材３０を除去してその裏面側の構成を示す拡大平面図であり、図５は、図３及び図４のＢ−Ｂ線に沿う操作パネル部の部分的な断面図、図６は、図４における二点鎖線Ｐで囲んだ部分の部分的な側面図である。
これらの図によって、図１において簡単に説明した操作パネル部３における非接触式タッチスイッチ３５が設けられている部分の構成を詳細に説明する。
【００２８】
この部分のパネル材３０の下面（裏面）３０ｂには、図４に示すように８個の非接触式タッチスイッチ３５が、４５゜の角度間隔で環状に配設されている。
この場合のタッチスイッチ３５はセンサ部分のタッチ電極に相当するＩＴＯフィルムだけであり、そのセンシング回路は、回路部品群４３などに別に設けている。しかし、ＩＴＯフィルムとセンシング回路が一体に設けられたタッチスイッチユニットを配設するようにしてもよい。タッチスイッチを構成するＩＴＯフィルムとセンシング回路についての説明は後述する。
【００２９】
その各タッチスイッチ３５が配設された環状領域４５ｃの内周と外周に沿ってそれぞれリング状の導光体（ライトガイド）５１ａ，５１ｂを同心円状に設け、中央部にベース状の平面形状を持つ導光体５２を設けている。
リング状の導光体５１ａの二点鎖線Ｐで囲んだ部分の下側には、図６に示すように青色ＬＥＤ５４が設けられており、その青色ＬＥＤ５４の発光による青色光が導光体５１ａの切断された両端面からその内部に導入され、リング状の導光体５１ａ全体を青色に照光させ、図３に示したリング状表示パターン４５ａとなる。
【００３０】
リング状の導光体５１ｂの二点鎖線Ｑで囲んだ部分の下側にも、同様な青色ＬＥＤが設けられており、その発光による青色光が導光体５１ｂの切断された両端面からその内部に導入され、リング状の導光体５１ｂ全体を青色に照光させ、図３に示したリング状表示パターン４５ｂとなる。これらのリング状導光体５１ａ，５１ｂとその各光源である青色ＬＥＤ５４とによって、複数のタッチスイッチ３５が配列されている位置を示す光表示器を構成している。
【００３１】
なお、リング状の導光体５１ａと５１ｂをそれぞれ1個ずつの青色ＬＥＤで照光する例を説明したが、リング状の導光体５１ａ，５１ｂの下面に沿って複数の青色ＬＥＤを点在（例えば各タッチスイッチ３５間の位置にそれぞれ配置）させれば、リング状の導光体５１ａと５１ｂの全体を一層均一に明るく照光させることができる。
中央の導光体５２の下側にも、図５に示すように青色ＬＥＤ５５が配設されており、その発光による青色光が導光体５２の下面からその内部に導入され、導光体５２全体を青く照光させ、図３に示したセンタ表示パターン４６となる。
【００３２】
リング状の導光体５１ｂの外側に近接して、各タッチスイッチ３５の中心に対応する円周方向の位置に、図４に明示するようにそれぞれ赤色ＬＥＤ４０が配置されている。
この赤色ＬＥＤ４０は、対応する位置のタッチスイッチ３５に指等が接近してセンスされると、点灯して図３に示したセンスポイント表示４８を赤色に照光させる。すなわち、この赤色ＬＥＤ４０が、タッチスイッチ３５がセンスされた状態を表示する光表示器である。
【００３３】
パネル材３０のこの部分の下面３０ｂには、図５に示すように各タッチスイッチ３５が直接固着されており、導光体５１ａ，５１ｂ，５２とそれぞれ対向する領域にはいずれも乳白シルク印刷が施されており、その乳白色層Ｗによって、各ライトガイドからの光を拡散して均一の明るさで照光させるようにしている。
また、リング状導光体５１ａの内周面側と、リング状導光体５１ｂの外周面側には、それぞれ白枠５６，５７を全周に密着させて設け、導光体５１ａ，５１ｂから漏れる光を導光体内へ乱反射させて、照度を高めるようにしている。
【００３４】
パネル材３０の下面３０ｂのそれ以外の全域には、黒シルク印刷によって遮光性の黒色被膜Ｂが形成されており、下面側の漏れ光が透過せず、上面側から各表示パターンが黒地中にくっきり見えるようにしている。また、パネル材３０の照光部以外は全面が黒色で外側から内部の構造体などが見えることがないので、外観の見栄えがよくなり、グランドピアノのような高級感を呈することができる。
【００３５】
この環状に配設された８個のタッチスイッチ３５は、パネル材３０の上面３０ａに指を接近させて右回りあるいは左回りにこれらの複数のタッチスイッチ３５をなぞると、それによって順次センス状態（ＯＮ状態）になり、再度なぞると順次非センス状態（ＯＦＦ状態）になる。したがって、このタッチスイッチ群を使用して、回転ボリュームやスライドボリュームと同様に楽音パラメータを徐々に変化させることができる。例えば、音量、音高、音色、ビブラートの周波数や深さなどを任意の速度で変化させたり、元へ戻したりするすることができる。
【００３６】
図７は、図３のＣ−Ｃ線に沿う操作パネル部３の部分的な断面図である。
パネル材３０のこの部分の下面３０ｂには、非接触式タッチスイッチとしてＩＴＯフィルムとセンシング回路が一体に設けられたタッチスイッチユニット３６を固着している。但し、パネル材３０の下面３０ｂには前述した黒シルク印刷による遮光性の黒色被膜Ｂが形成されており、その黒色被膜Ｂを介してタッチスイッチユニット３６を固着している。このタッチスイッチユニット３６は、パネル材３０の下面３０ｂにおける図３に示したライン表示パターン４７ａ内の３個の円形領域４７ｃ，４７ｄ，４７ｅに対応する位置にそれぞれ固着されている。
【００３７】
また、図３に示したライン表示パターン４７ａ，４７ｂに相当する領域と、センスポイント表示４９に相当する部位には乳白シルク印刷による乳白色層Ｗ１が形成され、ライン表示パターン４７ｂに相当する領域の乳白色層Ｗ１の幅広部には、さらにそれより幅の狭い乳白色層Ｗ２が重ねて形成されている。パネル材３０の下面３０ｂのそれ以外の領域には、前述したように、黒色被膜Ｂが形成されている。
【００３８】
タッチスイッチユニット３６の両側の乳白色層Ｗ１の下側と、ライン表示パターン４７ｂに相当する乳白色層Ｗ１，Ｗ２の下側には、回路基板６１上にスペーサ６２ａ，６２ｂ，６２ｃを介して青色ＬＥＤ５８ａ，５８ｂ，５８ｃが配置されている。これらの青色ＬＥＤ５８ａ，５８ｂ，５８ｃは、パネル材３０の下面３０ｂからある程度の距離を置いて配置されており、それらの発光による青色光が対向する乳白色層Ｗ１の全体を照明し、そこで拡散されて均一な明るさの表示パターンに見えるようにしている。
回路基板６１は、図示しない基板取付部によって、パネル材３０の下面３０ｂに間隔をあけて取り付けられている。
【００３９】
図３のセンスポイント表示４９に相当する部位の乳白色層Ｗ１の下側には、回路基板６１上に立設された背の高いスペーサ６３を介して、赤色ＬＥＤ５９が近接して配置されている。この赤色ＬＥＤ５９と隣接する青色ＬＥＤ５８ａとの間にはパーティション６０を設けて、赤色光と青色光が混色しないようにしている。
これらの青色ＬＥＤ５８ａ，５８ｂ，５８ｃと赤色ＬＥＤ５９は、図３に示したライン表示パターン４７ａ内の３個の円形領域４７ｃ，４７ｄ，４７ｅに対応する位置にそれぞれ設けられている。
【００４０】
青色ＬＥＤ５８ａ，５８ｂは、タッチスイッチユニット３６の周囲を囲む乳白色層Ｗ１（図３のライン表示パターン４７ａに相当する）を青く照光する。すなわち、タッチスイッチユニット３６の周囲を囲んで示す光表示器を構成している。青色ＬＥＤ５８ｃは、図３のライン表示パターン４７ｂに相当する乳白色層Ｗ１，Ｗ２を青く照光し、タッチスイッチユニット３６の位置を示す光表示器を構成している。
赤色ＬＥＤ５９は、照光によりタッチスイッチユニット３６がセンスされた状態を表示する光表示器であり、図３のセンスポイント表示４９に相当する乳白色層Ｗ１を赤く照光して、タッチスイッチユニット３６がセンスされた状態を表示する。
【００４１】
この例では、タッチスイッチユニット３６自体は黒色被膜Ｂの下側に固着されているので、パネル材３０の上面３０ａ側からは見えないが、青色ＬＥＤ５８ａ，５８ｂによって乳白色層Ｗ１が照光され、図３に示したライン表示パターン４７ａが各タッチスイッチユニット３６の周囲を囲んで青く照光しているので、スイッチ操作に不便はない。
このタッチスイッチユニット３６も指等を接近させることによってＯＮ状態になり、その信号によって楽音の予め決められた制御パラメータの設定を変化させるさことができる。
【００４２】
次に、この発明に使用する非接触タッチスイッチについて説明する。
図８はそのセンサ部を構成するＩＴＯフィルムの構成例を厚さ方向の寸法を大幅に拡大して示す模式的な断面図であり、図９はセンシング回路の一例を示すブロック回路図である。
ＩＴＯフィルムは、非接触タッチスイッチのセンサ部となるタッチ電極を構成するものであり、図８に示すＩＴＯフィルム（タッチ電極）８０は、基体となる二軸延伸した膜圧２ｍｍ程度のＰＥＴフィルム８１の一方の面に、膜厚０．０５〜０．０５μｍのプライマ層８２を介して透明電極であるＩＴＯ層８３が０．０１〜０．０３μｍの膜厚で形成され、他方の面に膜厚０．０５〜０．０５μｍのプライマ層８４を介して、ハードコート層８５が３〜７μｍの膜厚に形成されている。
【００４３】
ハードコート層８５は傷や汚れ防止と光学特性を制御する目的で設けられる。プライマ層８２，８４は接着性向上等のために設けられている。しかし、これらの一部又は全部を省略したものもある。また、ＩＴＯ層８３の表面にトップコート層を形成したものもある。さらに、この発明に使用する場合のようにタッチ電極が透明である必要がない場合には、ＩＴＯ層８３に代えて不透明な導電層を形成してもよい。
【００４４】
図９に示すセンシング回路９０は、ＩＴＯフィルム（タッチ電極）８０に指等の人体の一部が接近したときにそれを検知する回路であり、サージ保護回路９１、発振回路９２、検波平滑回路９３、スイッチング回路９４、スイッチングトランジスタ９５、定電圧ダイオード９６、および定電圧回路９７によって構成されている。
【００４５】
タッチ電極８０に指等が接近すると、アースとタッチ電極間の静電容量が変化するため、発振回路９２の発振周波数が変化し、その変化を検波平滑回路９３で直流電圧の変化として検出し、その変化が所定値以上になるとスイッチング回路９４がスイッチングトランジスタ９５をＯＮにして、出力端子２−３間を短絡する。タッチ電極８０から指等が離れたときは、この逆の変化によってスイッチングトランジスタ９５をＯＦＦにして、出力端子２−３間を開放する。この出力端子に制御したい機能のオン／オフを対応させて制御回路を接続すればよい。
【００４６】
これらのタッチ電極およびセンシング回路はいずれも公知のものであるから、詳細な説明は省略する。さらに、上述したタッチ電極とセンシング回路を組み合わせて一体のタッチスイッチユニットとして構成したものも市販されている。
前述した実施例では、図１、図４および図５等に示したタッチスイッチ３５は、ＩＴＯフィルムによるタッチ電極の部分だけであり、図７に示したタッチスイッチユニット３６は、タッチ電極とセンシング回路を組み合わせて一体のタッチスイッチユニットに構成したものであると説明したが、操作パネル部３のパネル材３０の下面に固着する複数のタッチスイッチはいずれも、タッチ電極の部分だけでもよいし、タッチスイッチユニットであってもよい。
【００４７】
また、この非接触式タッチスイッチとして、電界発光（ＥＬ）層等の発光部を設けた照光型のタッチスイッチを使用することもでき、その場合にはそのタッチスイッチ自体の照光によってその位置を示すことができるので、前述した実施例のように導光体とそれを照光させるＬＥＤ等を別に設ける必要がなくなる。
さらに、上記実施例では、タッチスイッチの位置を示す光表示器は青色の光で例えば常時照光し、タッチスイッチがセンスされた状態にあることを示す光表示器は赤色の光で照光するようにしたが、これに限るものではなく、異なる色の光で照光するようにしてもよい。また、多数のタッチスイッチの各機能に応じてそれを示す光表示器の照光色を異ならせるようにしてもよい。あるいは、時間の経過に応じて光表示器の一部あるいは全部の照光色を変化させるようにして、装飾性を高めるようなこともできる。
【００４８】
操作パネル部のパネル部材として、下面側から上面側へ向かう光は殆ど透過させ、上面側から下面側へ向かう光は殆ど反射する半透過反射パネル、あるいは殆ど吸収する半透過吸収パネルを使用すれば、下面に黒シルク印刷等による遮光被膜を形成しなくても、照光部以外の全領域が外部から殆ど見えないようにすることができる。
【００４９】
以上詳述したように、この発明によって、操作パネル部をフラットな無透孔パネル、その他請求項に記載の構成要素に示したタッチスイッチ等で構成することによって、全く新しい楽器が生まれた。この電子鍵盤楽器によって、ワイングラスを片手に人が集い、歌い、笑い声が耐えない「場」を提供できる。また、上述の実施例によれば、万一、グラスを操作パネル上で倒したとしても、楽器の演奏音が止まることなく、音楽が持続する癒し系の楽器を提供できる効果は大きい。
【産業上の利用可能性】
【００５０】
この発明は、電子オルガンや電子ピアノ等の各種の電子鍵盤楽器に適用でき、デザインの斬新化、使用形態の多様化、コンパクト化などを図ることができる。
【図面の簡単な説明】
【００５１】
【図１】図２のＡ−Ａ線に沿う拡大断面図である。
【図２】この発明による電子鍵盤楽器の一実施例の全体の外観を示す斜視図である。
【図３】図１及び図２に示した操作パネル部のパネル材の一部を上面側から見た図である。
【図４】図３におけるリング状表示パターンがある部分をパネル材を除去してその裏面側の構成を示す拡大平面図である。
【００５２】
【図５】図３及び図４のＢ−Ｂ線に沿う操作パネル部の部分的な断面図である。
【図６】図４における二点鎖線Ｐで囲んだ部分の部分的な側面図である。
【図７】図３のＣ−Ｃ線に沿う操作パネル部の部分的な断面図である。
【図８】この発明に使用する非接触タッチスイッチのセンサ部の構成例を厚さ方向の寸法を大幅に拡大して示す模式的な断面図である。
【図９】同じくその非接触タッチスイッチのセンシング回路の一例を示すブロック回路図である。
【符号の説明】
【００５３】
１…鍵盤部、３…操作パネル部、７…下ケース、９…脚、１０…鍵、１０Ｗ…白鍵、１０Ｂ…黒鍵、１１…鍵基端部（共通連結部）、１２…鍵盤フレーム（鍵支持部材）、１３…上下限ストッパ、１４〜１７…止めねじ、２０…おわん型キースイッチ、２１…キースイッチ基板、２３…防水シート、３０…パネル材（上ケースを兼ねる）、３１，３２…ボス、３３…基板取付部、３５…非接触式タッチスイッチ、３６…タッチスイッチユニット、４０…赤色ＬＥＤ（光表示器）、４１…回路基板、４２…スペーサ、４３…回路部品群、４５ａ，４５ｂ…リング状表示パターン、４６…センタ表示パターン、４７ａ，４７ｂ…ライン表示パターン、４８，４９…センスポイント表示、５１ａ，５１ｂ，５２…導光体、５４，５５…青色ＬＥＤ、５６，５７…白枠、５８ａ〜５８ｃ…青色ＬＥＤ、５９…赤色ＬＥＤ、６０…パーティション、６１…回路基板、６２ａ〜６２ｃ、６３…スペーサ、７１〜７３：ボス、８０…ＩＴＯフィルム（タッチ電極）、９０…センシング回路、Ｗ…乳白色層、Ｂ…黒色被膜
【図１】
2006267791.tif 000003
【図２】
2006267791.tif 000004
【図３】
2006267791.tif 000005
【図４】
2006267791.tif 000006
【図５】
2006267791.tif 000007
【図６】
2006267791.tif 000008
【図７】
2006267791.tif 000009
【図８】
2006267791.tif 000010
【図９】
2006267791.tif 000011